(57)【要約】【課題】リムーバーの利便性を向上させることのできるリムーバー用置き台を提供する。【解決手段】リムーバー用置き台１は、磁力を発生する磁力発生面６３を有する吸着ヘッド部６１を備えたリムーバー６を載置可能に構成されている。リムーバー用置き台１は、非磁性体よりなる本体部２と、強磁性体よりなり、本体部２の内部に配設された１個または複数の内蔵部材５とを有している。本体部２は、リムーバー６の磁力発生面６３を載置可能に構成された載置面部３０を有している。そして、載置面部３０に載置されたリムーバー６と、少なくとも１個の内蔵部材５との間に磁気吸引力が生じるように構成されている。【選択図】図１
2014207963.tif 000002
【特許請求の範囲】
【請求項１】
磁力を発生する磁力発生面を有する吸着ヘッド部を備えたリムーバーを載置するリムーバー用置き台であって、
該リムーバー用置き台は、非磁性体よりなる本体部と、
強磁性体よりなり、上記本体部の内部に配設された１個または複数の内蔵部材とを有しており、
上記本体部は、上記リムーバーの上記磁力発生面を載置可能に構成された載置面部を有しており、
該載置面部に載置された上記リムーバーと、少なくとも１個の上記内蔵部材との間に磁気吸引力が生じるように構成されていることを特徴とするリムーバー用置き台。
【請求項２】
請求項１に記載のリムーバー用置き台において、上記内蔵部材の少なくとも１個は、上記載置面部の裏面に配置されていることを特徴とするリムーバー用置き台。
【請求項３】
請求項１または２に記載のリムーバー用置き台において、上記本体部は、上記載置面部を備えた天板部と、該天板部に対向配置される底板部と、上記天板部と上記底板部とを接続する側面部とを有するとともに中空に形成されており、少なくとも１個の上記内蔵部材が上記底板部に固定されていることを特徴とするリムーバー用置き台。
【請求項４】
磁力を発生する磁力発生面を有する吸着ヘッド部を備えたリムーバーを載置するリムーバー用置き台であって、
該リムーバー用置き台は、上記リムーバーの上記磁力発生面を載置可能に構成された載置面部と、
該載置面部の少なくとも一部に強磁性体部を備えた本体部とを有していることを特徴とするリムーバー用置き台。
【請求項５】
請求項１〜４のいずれか１項に記載のリムーバー用置き台において、上記磁気吸引力は、上記リムーバー用置き台の重力より小さいことを特徴とするリムーバー用置き台。
【請求項６】
請求項１〜５のいずれか１項に記載のリムーバー用置き台において、上記本体部は、上記載置面部を頂面とする略円錐台形状を呈していることを特徴とするリムーバー用置き台。
【請求項７】
請求項１〜６のいずれか１項に記載のリムーバー用置き台において、該リムーバー用置き台に載置するリムーバーは、略棒状を呈しているとともにその一端に上記吸着ヘッド部が配設されており、該吸着ヘッド部は、上記リムーバーの長手方向と略直交する方向に膨出した膨出部を有しており、該膨出部の頂面部分に上記磁力発生面を有しており、上記載置面部には、上記膨出部を収容する陥没部が設けられていることを特徴とするリムーバー用置き台。
【発明の詳細な説明】
【技術分野】
【０００１】
本発明は、ペースト状の美容剤を磁力によって吸着除去するリムーバーを載置するリムーバー用置き台に関する。
【背景技術】
【０００２】
美容のために用いられるペースト状の美容剤は、塗布後に時間をおくことで皮膜状になるものと、時間をおいてもペースト状態を維持するものとに大別される。塗布後に皮膜状になる美容剤は、その一部を把持して引き剥がすことにより、容易に肌から分離することができる。一方、塗布後にペースト状態を維持する美容剤を使用後に肌から除去する方法としては、コットン等による拭き取りや、ぬるま湯等により洗い落とす方法が一般的である。最近では、これらの一般的方法よりもより簡便に使用後の美容剤を除去する方法が望まれていた。
【０００３】
例えば特許文献１や特許文献２に開示されるように、鉄粉を混合した美容剤と、本体に磁石を備えたリムーバーとを組み合わせて用いる方法が提案されている。特許文献１や特許文献２に記載のリムーバーは、本体の磁石をキャップ部により覆っており、磁石の磁力により美容剤中の鉄粉をキャップ部の表面に吸着させることができるよう構成されている。
【先行技術文献】
【特許文献】
【０００４】
【特許文献１】特開２００５−３１２４９７号公報
【特許文献２】特開２００４−１８７８７４号公報
【発明の概要】
【発明が解決しようとする課題】
【０００５】
特許文献１や特許文献２に記載のリムーバーを用いて美容剤をより効率的に除去するために、磁石の磁力をより強くすることが望まれている。しかしながら、磁力を強くすると、これに伴って、リムーバー周辺においてより遠方まで磁力が作用することとなる。そのため、リムーバーの保管場所周辺に電子機器や磁気カード等を置いた場合に、これらが磁力により悪影響を受けるおそれがある等、リムーバーが取り扱いにくいものとなるおそれがあった。
【０００６】
本発明は、かかる背景に鑑みてなされたものであり、リムーバーの利便性を向上させることのできるリムーバー用置き台を提供しようとするものである。
【課題を解決するための手段】
【０００７】
本発明の一態様は、磁力を発生する磁力発生面を有する吸着ヘッド部を備えたリムーバーを載置するリムーバー用置き台であって、
該リムーバー用置き台は、非磁性体よりなる本体部と、
強磁性体よりなり、上記本体部の内部に配設された１個または複数の内蔵部材とを有しており、
上記本体部は、上記リムーバーの上記磁力発生面を載置可能に構成された載置面部を有しており、
該載置面部に載置された上記リムーバーと、少なくとも１個の上記内蔵部材との間に磁気吸引力が生じるように構成されていることを特徴とするリムーバー用置き台にある。
【発明の効果】
【０００８】
上記リムーバー用置き台は、上記本体部の内部に強磁性体よりなる内蔵部材を１個または複数有している。そのため、上記リムーバー用置き台にリムーバーを載置すると、上記磁力発生面から発生する磁力線が上記内蔵部材に集中し、磁力線が上記リムーバー用置き台の外部に漏洩しにくくなる。その結果、磁力発生面から発生する磁力が上記リムーバー用置き台の周辺に作用しにくくなり、リムーバーの利便性をより向上させることができる。
【０００９】
また、上記本体部が非磁性体より構成されているため、上記本体部がリムーバーの磁力の作用を受けることはない。そのため、リムーバーを使用する際に、上記本体部からリムーバーを容易に引き離すことができ、リムーバーの利便性をより向上させることができる。
【００１０】
また、少なくとも１個の上記内蔵部材と上記リムーバーとの間に磁気吸引力が生じるよう構成されている。そのため、上記リムーバーが上記載置面部側に吸引される。その結果、上記リムーバー用置き台はリムーバーを安定して保持することができる。
【００１１】
以上のように、上記リムーバー用置き台によれば、リムーバーの利便性をより向上させることができる。
【図面の簡単な説明】
【００１２】
【図１】実施例１における、リムーバー用置き台の斜視図。
【図２】実施例１における、リムーバー用置き台の上面図。
【図３】実施例１における、リムーバー用置き台の側面図。
【図４】図２のIV−IV線矢視断面図。
【図５】実施例１における、リムーバーの側面図。
【図６】実施例１における、リムーバーの下面図。
【図７】実施例２における、強磁性体から構成された底板部を有するリムーバー用置き台の断面図（図４に相当する矢視断面図）。
【図８】実施例３における、天板部の一部が強磁性体から構成されているリムーバー用置き台の断面図（図４に相当する矢視断面図）。
【発明を実施するための形態】
【００１３】
上記リムーバー用置き台において、上記内蔵部材の少なくとも１個は、上記載置面部の裏面に配置されていてもよい。この場合には、上記磁力発生面から発生する磁力線が、上記載置面部の裏面に配置された内蔵部材に集中しやすくなる。その結果、上記リムーバー用置き台は、磁力線を周囲により漏洩させにくいものとなり、リムーバーの利便性をより向上させることができる。
【００１４】
また、上記本体部は、上記載置面部を備えた天板部と、該天板部に対向配置される底板部と、上記天板部と上記底板部とを接続する側面部とを有するとともに中空に形成されており、少なくとも１個の上記内蔵部材が上記底板部に固定されていてもよい。この場合には、内蔵部材により本体部の重心の位置が下がるため、上記リムーバー用置き台をより安定して設置することができる。その結果、リムーバー用置き台の意図しない転倒や、机上からの落下等が起こりにくくすることができる。また、上記内蔵部材と上記載置面部との距離が適度に大きくなるため、リムーバーに作用する磁気吸引力を、リムーバー用置き台から引き離しやすく、かつ、リムーバー用置き台上に保持できる大きさに調節しやすくなる。その結果、上記リムーバー用置き台は、リムーバーの利便性をより向上させることができる。
【００１５】
また、上記リムーバー用置き台は、上記リムーバーの上記磁力発生面を載置可能に構成された載置面部と、
該載置面部の少なくとも一部に強磁性体部を備えた本体部とを有していてもよい。
【００１６】
即ち、上記リムーバー用置き台は、上記内蔵部材に替えて、上記載置面部の少なくとも一部に上記強磁性体部を設ける構成とすることもできる。この場合には、上記強磁性体部が上記内蔵部材と同様の作用効果を奏するため、上記リムーバーの上記磁力発生面から発生する磁力線が上記強磁性体部に集中する。それ故、磁力発生面から発生する磁力が上記リムーバー用置き台の周辺に作用しにくくなり、リムーバーの利便性をより向上させることができる。
【００１７】
上記磁気吸引力は、上記リムーバー用置き台が上記内蔵部材を有する構成または上記強磁性体部を有する構成のどちらの構成であっても、上記リムーバー用置き台の重力より小さいことが好ましい。この場合には、リムーバーを本体部から引き離す際に、リムーバー用置き台の自重によりリムーバーが本体部から自然に分離しやすくなる。そのため、リムーバーを本体部から引き離す際にリムーバー用置き台を手で押さえたり、予めリムーバー用置き台を机上等に固定したりする必要がなくなる。その結果、上記リムーバー用置き台は、リムーバーの利便性をより向上させることができる。
【００１８】
また、上記本体部は、上記載置面部を頂面とする略円錐台形状を呈していてもよい。この場合には、上記リムーバー用置き台は、形状的により安定して設置できるものとなるため、リムーバー用置き台の意図しない転倒や、机上からの落下等が起こりにくいものとなる。その結果、上記リムーバー用置き台は、リムーバーの利便性をより向上させることができる。
【００１９】
また、上記リムーバー用置き台に載置するリムーバーは、略棒状を呈しているとともにその一端に上記吸着ヘッド部が配設されており、該吸着ヘッド部は、上記リムーバーの長手方向と略直交する方向に膨出した膨出部を有しており、該膨出部の頂面部分に上記磁力発生面を有しており、上記載置面部には、上記膨出部を収容する陥没部が設けられていてもよい。この場合には、リムーバーの膨出部を陥没部に収容することにより、リムーバーを形状的により安定して保持することができる。なお、上記リムーバー用置き台に載置されるリムーバーとして、上述した形状以外の形状を呈しているリムーバーを用いることもできる。また、リムーバーは、膨出部における頂面部分の少なくとも一部の領域が磁力発生面となるように構成されていればよい。つまり、膨出部の頂面部分の全面から磁力が発生するように構成されていてもよく、当該頂面部分の一部に磁力を発生しない領域を有していてもよい。
【実施例】
【００２０】
（実施例１）
上記リムーバー用置き台の実施例を、図１〜図６を用いて説明する。図１に示すように、リムーバー用置き台１は、磁力を発生する磁力発生面６３を有する吸着ヘッド部６１を備えたリムーバー６を載置可能に構成されている。図１及び図４に示すように、リムーバー用置き台１は、非磁性体よりなる本体部２と、強磁性体よりなり、本体部２の内部に配設された複数の内蔵部材５とを有している。また、図１及び図２に示すように、本体部２は、リムーバー６の磁力発生面６３を載置可能に構成された載置面部３０を有している。そして、リムーバー用置き台１は、載置面部３０に載置されたリムーバー６と内蔵部材５との間に磁気吸引力が生じるように構成されている。
【００２１】
図１及び図３に示すように、リムーバー用置き台１の本体部２は、載置面部３０を頂面とする略円錐台形状を呈している。図１及び図４に示すように、本体部２は、載置面部３０を備えた天板部３１と、天板部３１に対向配置される底板部４と、天板部３１と底板部４とを接続する側面部３２とを有している。また、図４に示すように、本体部２の内部は中空に形成されている。そして、図４に示すように、内蔵部材５が載置面部３０の裏面３００及び底板部４にそれぞれ配置されている。なお、以下において、リムーバー用置き台１の上下方向に関して、載置面部３０側を上方といい、底板部４側を下方ということがある。
【００２２】
図１及び図４に示すように、天板部３１と側面部３２とは、上部部品３として一体に形成されている。上部部品３は、載置面部３０を頂面とする略円錐台形状を呈しており、図４に示すように、その底面が開放面となっている。上部部品３は、ＡＢＳ樹脂を用いて形成されている。
【００２３】
図１及び図２に示すように、載置面部３０の略中央部には、後述するリムーバー６の膨出部６２を収容する陥没部３１１が設けられている。陥没部３１１は、図１及び図４に示すように、載置面部３０の略中央部を周囲よりも内方（下方）に陥没させて形成されている。
【００２４】
図２及び図４に示すように、陥没部３１１の中央部分は平坦面３１２となっている。平坦面３１２は、図２に示すように、上方から見て、リムーバー６の磁力発生面６３（図６参照）に対応した略楕円形状を呈している。これにより、リムーバー６を載置した状態において、磁力発生面６３が平坦面３１２に当接可能に構成されている。
【００２５】
また、図４に示すように、載置面部３０における平坦面３１２の裏面３００には、内蔵部材５が配置されている。本例において、裏面３００に配置された内蔵部材５としては、粉末状のフェライトを樹脂に分散させてなるフェライトシート５０を用いている。フェライトシート５０は、接着剤により裏面３００に接着されている。
【００２６】
また、図４に示すように、平坦面３１２の外周縁部３１３は、上方へ向かうにつれて次第に拡開しており、後述するリムーバー６の膨出部６２における側壁部６４の形状（図５参照）に対応した形状に形成されている。これにより、リムーバー６を載置した状態において、その側壁部６４が外周縁部３１３に当接可能に構成されている。
【００２７】
また、図２〜図４に示すように、載置面部３０は、平坦面３１２の長軸方向の一方に向けて延伸形成されたリムーバー支承部３１４を有している。図２及び図３に示すように、リムーバー支承部３１４は、上方から見て、載置面部３０の外縁よりも外方まで延伸されている。また、図１及び図４に示すように、リムーバー支承部３１４は、その延伸方向から見た断面が略円弧状を呈するように陥没しており、リムーバー６を載置した状態において、リムーバー６の長手方向における中央部６０（図１、図５参照）と面接触可能な形状に形成されている。これにより、リムーバー６を安定して支承することができる。
【００２８】
図１及び図４に示すように、底板部４は、上部部品３の開放面（底面）に合致する円板状に形成されている。底板部４の中央部における天板部３１側（上方）には、内蔵部材５が配置されている。なお、本例において、底板部４はＡＢＳ樹脂から形成されている。
【００２９】
本例において、底板部４に配置された内蔵部材５としては、略正方形状の鉄板５１を用いている。図４に示すように、鉄板５１は、ネジ５２により３枚重ねた状態で底板部４に締結されている。なお、内蔵部材５の重量は約７３ｇであり、内蔵部材５を含むリムーバー用置き台１全体の重量は約１７７ｇであった。また、鉄板５１の表面には、防錆の目的で酸化クロムめっきがほどこされている。
【００３０】
次に、リムーバー用置き台１に載置されるリムーバー６について、図１、図５及び図６を用いて説明する。図１、図５及び図６に示すように、リムーバー６は略棒状を呈しているとともに、その一端に吸着ヘッド部６１が配設されている。図５に示すように、吸着ヘッド部６１は、リムーバー６の長手方向と略直交する方向に膨出した膨出部６２を有している。そして、図５及び図６に示すように、膨出部６２の頂面部分に磁力発生面６３を有している。なお、本例のリムーバーは、膨出部６２の頂面部分全体が、磁力を発生する磁力発生面６３となるように構成されている。
【００３１】
以下において、リムーバー６に関する方向は、特に断りのない限り、長手方向における吸着ヘッド部６１を有する端部の方向を前方とし、その反対側を後方とする。また、磁力発生面６３の設けられた方向を下方とし、その反対方向を上方とする。また、前後方向及び上下方向の双方と直交する方向を側方ということがある。これらの方向表示は便宜上のものであり、リムーバー６の使用時、あるいはリムーバー用置き台１への載置時における実際の向きとは何ら関係がない。
【００３２】
リムーバー６は、図５に示すように、側方から見たときに、前後方向（長手方向）の中央部６０が両端部に対して上方に位置するように湾曲して形成されている。また、図６に示すように、リムーバー６の両端部は、上下方向から見たときの外形線が略円弧状を呈している。また、図６に示すように、リムーバー６の長手方向の中央部６０は、上下方向から見たときに両端に比べて幅狭に形成されている。
【００３３】
吸着ヘッド部６１に設けられた膨出部６２は、図５及び図６に示すように、磁力発生面６３と、磁力発生面６３の外周縁から上方に向かって拡開しつつ延伸された側壁部６４とを有している。図５に示すように、磁力発生面６３と側壁部６４とは、緩やかな曲面により互いに接続されている。
【００３４】
磁力発生面６３は、図５に示すように平坦に形成されており、図６に示すように下方から見て略楕円形状を呈している。
【００３５】
図には示さないが、本例のリムーバー６は、膨出部６２の内部にネオジム磁石を内蔵している。リムーバー６をリムーバー用置き台１に載置した状態において、リムーバー用置き台１とリムーバー６との間に発生する磁気吸引力の大きさは約５０〜１００ｇｆであった。
【００３６】
また、本例のリムーバー６は、その側周面に第１電極６５（図６参照）と第２電極６６（図１、図５参照）とを有している。
【００３７】
第１電極６５は、リムーバー６の後方端部に配設されており、電極面が下方を向いている。また、第１電極６５は、図６に示すように下方から見て略楕円状を呈しており、図５に示すように人体肌と接する面が略球面状に膨出している。この形状は、人の手の指の腹の形状を模擬したものである。
【００３８】
第２電極６６は、吸着ヘッド部６１における上方、つまり磁力発生面６３の反対側に配設されている。
【００３９】
また、本例のリムーバー６は、肌表面上の電荷を有する美容成分を、第１電極６５と第２電極６６との間の電位差により肌内部に浸透させるイオン導入器として構成されている。つまり、リムーバー６は、第１電極６５と第２電極６６との間に電位差を発生させることにより、人体肌上に塗布された電荷を有する美容成分を肌内部に浸透させることができるよう構成されている。また、本例のリムーバー６は、第１電極６５と第２電極６６との双方が人体と接触したことを契機として、第１電極６５と第２電極６６との間に電位差を発生することができるよう構成されている。
【００４０】
次に、本例の作用効果を説明する。図１及び図４に示すように、リムーバー用置き台１は、本体部２の内部に強磁性体よりなる複数の内蔵部材５を有している。そのため、リムーバー用置き台１にリムーバー６を載置すると、磁力発生面６３から発生する磁力線が内蔵部材５に集中し、磁力線がリムーバー用置き台１の外部に漏洩しにくくなる。その結果、磁力発生面６３から発生する磁力がリムーバー用置き台１の周辺に作用しにくくなり、リムーバー６の利便性をより向上させることができる。
【００４１】
また、本体部２が非磁性体より構成されているため、本体部２がリムーバー６の磁力の作用を受けることはない。そのため、例えばリムーバー６にネオジム磁石等の強力な磁石を使用した場合にも、リムーバー６を使用する際に、本体部２からリムーバー６を容易に引き離すことができ、リムーバー６の利便性をより向上させることができる。
【００４２】
また、内蔵部材５とリムーバー６との間に磁気吸引力が生じるよう構成されている。そのため、リムーバー６が載置面部３０側に吸引される。その結果、リムーバー用置き台１はリムーバー６を安定して保持することができる。
【００４３】
また、内蔵部材５とリムーバー６との間に生じる磁気吸引力は、リムーバー用置き台１の重力より小さくなるよう構成されている。そのため、リムーバー６をリムーバー用置き台１から引き離す際に、リムーバー用置き台１の自重によりリムーバー６が本体部２から自然に分離しやすくなる。それゆえ、リムーバー６を本体部２から引き離す際にリムーバー用置き台１を手で押さえたり、予めリムーバー用置き台１を机上等に固定したりする必要がなくなる。その結果、リムーバー用置き台１は、リムーバー６の利便性をより向上させることができる。
【００４４】
また、内蔵部材５としてのフェライトシート５０が、載置面部３０の裏面３００に配置されている。そのため、磁力発生面６３から発生する磁力線が、載置面部３０の裏面３００に配置された内蔵部材５に集中しやすくなる。その結果、リムーバー用置き台１は、磁力線を周囲により漏洩させにくいものとなり、リムーバー６の利便性をより向上させることができる。
【００４５】
また、図４に示すように、本体部２は、載置面部３０を備えた天板部３１と、天板部３１に対向配置される底板部４と、天板部３１と底板部４とを接続する側面部３２とを有している。そして、本体部２は中空に形成されており、内蔵部材５としての鉄板５１が底板部４に固定されている。そのため、内蔵部材５により本体部２の重心の位置が下がるため、リムーバー用置き台１をより安定して設置することができる。その結果、リムーバー用置き台１の意図しない転倒や、机上からの落下等を起こりにくくすることができる。また、内蔵部材５と載置面部３０との距離が適度に大きくなるため、リムーバー６に作用する磁気吸引力を、リムーバー用置き台１から引き離しやすく、かつ、リムーバー用置き台１上に保持できる大きさに調節しやすくなる。その結果、リムーバー用置き台１は、リムーバー６の利便性をより向上させることができる。
【００４６】
また、図１及び図３に示すように、本体部２は、載置面部３０を頂面とする略円錐台形状を呈している。そのため、リムーバー用置き台１は、形状的により安定して設置できるものとなり、リムーバー用置き台１の意図しない転倒や、机上からの落下等が起こりにくいものとなる。その結果、リムーバー用置き台１は、リムーバー６の利便性をより向上させることができる。
【００４７】
また、図１及び図５に示すように、リムーバー用置き台１に載置するリムーバー６は、略棒状を呈しているとともにその一端に吸着ヘッド部６１が配設されている。また、吸着ヘッド部６１は、リムーバー６の長手方向と略直交する方向に膨出した膨出部６２を有しており、膨出部６２の頂面部分には磁力発生面６３を有している。そして、リムーバー用置き台１の載置面部３０には、膨出部６２を収容する陥没部３１１が設けられている。そのため、リムーバー６の膨出部６２を陥没部３１１に収容することにより、リムーバー６を形状的により安定して保持することができる。
【００４８】
以上のように、リムーバー用置き台１を用いることにより、リムーバー６の利便性をより向上させることができる。
【００４９】
なお、リムーバー用置き台１は、実施例１において説明した態様に限定されることはなく、適宜変形することが可能である。例えば、上記実施例１においては、内蔵部材５として、載置面部３０の裏面３００に配置したフェライトシート５０と、底板部４に配設した鉄板５１との双方を用いた例を示したが、これ以外の構成も可能である。すなわち、内蔵部材５としてフェライトシート５０のみを用いてもよく、鉄板５１のみを用いてもよい。
【００５０】
また、実施例１においては、底板部４に配置した鉄板５１が、内蔵部材５としての機能と、リムーバー用置き台１の重量を重くするおもりとしての機能とを兼ね備えたものとなっているが、内蔵部材５がおもりとして機能するものである必要はない。すなわち、例えば内蔵部材５としてフェライトシート５０を用い、底板部４にＳＵＳ３０４材などの非磁性のおもりを配置する構成であってもよい。なお、リムーバー用置き台１においておもりとして機能する部材が必須でないことは言うまでもない。
【００５１】
また、内蔵部材５の配置、形状あるいは個数は、磁気吸引力とリムーバー用置き台１の重力との関係に応じて、適宜変形することができる。具体的には、底板部４上において正三角形や正方形の頂点をなす位置に分散させて内蔵部材５を配置する構成や、底板部４にボスあるいはリブ等を立設してその上に内蔵部材５を配置することにより、内蔵部材５を載置面部３０と底板部４との中間点に配置する等の構成が考えられる。
【００５２】
また、実施例１においては上部部品３と底板部４とにより本体部２を構成する例を示したが、底板部４を用いない構成も可能である。例えば、上部部品３における側面部３２から内方に向けてリブを延設し、内蔵部材５を当該リブに固定する構成、あるいは、天板部３１から下方に向けてボスを立設し、内蔵部材５を当該ボスに固定する構成等が考えられる。
【００５３】
また、内蔵部材５の材質は、鉄やフェライト以外にも、鋼材、マルテンサイト系ステンレスあるいはフェライト系ステンレスなど、強磁性を示す種々の金属やセラミックを用いることができる。
【００５４】
また、実施例１においては、載置面部３０に陥没部３１１を設けた例を示したが、陥没部３１１を設けない構成も可能である。陥没部３１１を設けない構成であっても、リムーバー６とリムーバー用置き台１との間の磁気吸引力が十分大きければ、リムーバー６をリムーバー用置き台１に安定して保持することができる。
【００５５】
（実施例２）
本例は、強磁性体から構成された底板部４ｂを強磁性体部として有するリムーバー用置き台１ｂの例である。図７に示すように、本例のリムーバー用置き台１ｂにおける本体部２は、実施例１と同一の外形を有している。また、本体部２は、非磁性体より構成された上部部品３と、強磁性体である鉄板から構成された底板部４ｂとを有している。本体部２の内部空間には、フェライトシート５０等の内蔵部材５が設けられていない。その他は実施例１と同様である。なお、図７において用いた符号のうち、実施例１において用いた符号と同一のものは、特に説明しない限り実施例１と同様の構成要素等を示す。
【００５６】
本例においては、底板部４ｂに鉄板を用いることにより、リムーバー６の磁力発生面６３から発生する磁力線が底板部４ｂに集中する。それ故、リムーバー６と底板部４ｂとの間に磁気吸引力が生じ、リムーバー６が載置面部３０側に吸引される。また、底板部４ｂが鉄板から構成されているため、本体部２の重心の位置が低くなり、リムーバー用置き台１ｂをより安定して設置することができる。その他、実施例１と同様の作用効果を奏することができる。
【００５７】
（実施例３）
本例は、天板部３１ｃの一部に強磁性体部を設けたリムーバー用置き台１ｃの例である。図８に示すように、本例のリムーバー用置き台１ｃにおける本体部２は、実施例１と同一の外形を有している。また、本体部２は、上部部品３ｃと、非磁性体から構成された底板部４とを有している。本体部２の内部空間には、フェライトシート５０等の内蔵部材５が設けられていない。
【００５８】
上部部品３ｃの側面部３２は、非磁性体から構成されている。また、天板部３１ｃは、リムーバー６の膨出部６２を収容する陥没部３１１ｃが強磁性体から構成されていると共に、陥没部３１１ｃの外周縁部３１５が非磁性体から構成されている。即ち、本例における強磁性体部は、陥没部３１１ｃである。その他は実施例１と同様である。なお、図８において用いた符号のうち、実施例１において用いた符号と同一のものは、特に説明しない限り実施例１と同様の構成要素等を示す。
【００５９】
本例においては、陥没部３１１ｃを強磁性体から構成することにより、リムーバー６の磁力発生面６３から発生する磁力線が、陥没部３１１ｃに集中する。それ故、リムーバー６と陥没部３１１ｃとの間に磁気吸引力が生じ、リムーバー６が載置面部３０側に吸引される。その他、実施例１と同様の作用効果を奏することができる。
【００６０】
なお、実施例３には、上部部品３ｃの一部を強磁性体から構成した例を示したが、上部部品３ｃ全体を強磁性体から構成することも可能である。また、本体部２全体、すなわち上部部品３ｃ及び底板部４を強磁性体から構成してもよい。
【符号の説明】
【００６１】
１  リムーバー用置き台
２  本体部
３０  載置面部
５  内蔵部材
６  リムーバー
６１  吸着ヘッド部
６３  磁力発生面
【図１】
2014207963.tif 000003
【図２】
2014207963.tif 000004
【図３】
2014207963.tif 000005
【図４】
2014207963.tif 000006
【図５】
2014207963.tif 000007
【図６】
2014207963.tif 000008
【図７】
2014207963.tif 000009
【図８】
2014207963.tif 000010